(57)【要約】  【課題】  床下空間で調温、調湿などの調整を行った空気を室内空間に供給する技術において、過剰な設備を必要とせずに、より良質で居住者にとって快適に調整された空気を室内空間に供給できるようにする。  【解決手段】  建築物の床下空間１８で調整された空気を室内空間１６に供給する装置２０である。床下空間１８に開口する空気の導入口２２と、床下空間１８の地盤Ｅに埋設され、導入口２２に連通して床下空間１８の空気が流入する空気調整室３０と、空気調整室３０に収容され空気が接触する無機多孔質調湿材５０と、室内空間１６に開口し、空気調整室３０で調整された空気を室内空間１６に供給する室内給気口２４とを備える。【選択図】  図１
2006038319.tif 000002
【特許請求の範囲】
【請求項１】
建築物の床下空間で調整された空気を室内空間に供給する装置であって、
前記床下空間に開口する空気の導入口と、
前記床下空間の地盤に埋設され、前記導入口に連通して床下空間の空気が流入する空気調整室と、
前記空気調整室に収容され前記空気が接触する無機多孔質調湿材と、
前記室内空間に開口し、前記空気調整室で調整された空気を室内空間に供給する室内給気口と
を備える調整空気供給装置。
【請求項２】
前記導入口から前記空気調整室を経て前記室内給気口へと空気を強制送風する送風機をさらに備える
請求項１に記載の調整空気供給装置。
【請求項３】
前記無機多孔質調湿材が、粒径２０〜８０ｍｍの硅質頁岩であり、
前記空気調整室における空気との接触距離が０．５〜１０ｍである
請求項１または２に記載の調整空気供給装置。
【請求項４】
前記空気調整室が、外径５０〜４００ｍｍ、肉厚５〜１５ｍｍ、全長０．５〜４ｍの合成樹脂管路からなり、
前記床下空間の地盤に０〜１０ｍの深さで水平方向に埋設されている
請求項１〜３の何れかに記載の調整空気供給装置。
【請求項５】
請求項１〜４の何れかに記載の調整空気供給装置に使用される空気調整ユニットであって、
中空管状をなし、長さ方向に順次連結可能な空気調整管と、
前記空気調整管の両端を塞ぎ、着脱自在な蓋材と、
前記蓋材で塞がれた前記空気調整管に充填される無機多孔質調湿材と
を備える空気調整ユニット。
【請求項６】
前記請求項１〜４の何れかに記載の調整空気供給装置を用いて、建築物の床下空間で調整された空気を室内空間に供給する方法であって、
前記床下空間の空気を、前記導入口から前記空気調整室、前記室内給気口を経て前記室内空間へと送る工程（ａ）と、
前記工程（ａ）の途中において、前記空気調整室において前記無機多孔質調湿材に空気を接触させる工程（ｂ）とを含む
調整空気供給方法。
【請求項７】
前記工程（ｂ）が、風量５０〜２００ｍ３／ｈで前記空気を前記多孔質調湿材と接触させる
請求項６に記載の調整空気供給方法。
【発明の詳細な説明】
【技術分野】
【０００１】
本発明は、調整空気供給装置および調整空気供給方法に関し、詳しくは、住宅などの建築物の室内に、温度や湿度などの特性条件が調整された空気を供給する調整空気供給装置と、このような調整空気供給装置を使用して室内空間に良質の空気を供給する調整空気供給方法とを対象にしている。
【背景技術】
【０００２】
住宅の室内に新鮮な空気を供給する換気あるいは給気の方法として、屋外の空気を一旦、床下空間に導入し、床下空間で調温あるいは調湿した空気を、床下空間から室内空間へと供給する技術が知られている。
床下空間は、季節の変化や昼夜の別、日射量の違いなどによる屋外の大きな温度変化の影響を受け難い。そのため、床下空間に一定時間保持された空気を、室内空間に供給することで、居住者にとって快適な温度範囲に調整された空気を供給することができる。
さらに、床下空間に、硅質頁岩などの調湿材が収容された収容室を設置し、床下空間の空気を収容室の調湿材と接触させてから室内空間へと供給する技術も提案されている（特許文献１参照）。調湿材によって一定の湿度範囲に調湿された空気を室内空間に供給すれば、居住者にとってより快適な湿度環境を実現することができる。硅質頁岩などの調湿材は、調湿機能に加えて、臭いやホルムアルデヒド等のＶＯＣ（揮発性有機化合物）の除去機能にも優れていることが知られている。床下空間に滞留することで臭いが付いたり建材から発生するＶＯＣを含有していたりする空気であっても、室内空間に供給される際には、これらの問題が解消された、清浄で快適な空気になる。シックハウス対策にも有効である。
【特許文献１】特開２００３−１０５８７９号公報
【発明の開示】
【発明が解決しようとする課題】
【０００３】
前記した調湿材収容室の技術でも、屋外あるいは床下空間が高湿環境になると、空気の湿度を充分に下げることができないことがある。また、臭いやＶＯＣの除去機能も不十分になることがある。
調湿材収容室を大きくしたり、収容室に収容する調湿材の量を増やしたりすれば、調湿機能や脱臭機能などを向上させることができるが、設備が大型化したり、設備コストが増大したりすることになる。
さらに、調湿材による調湿機能や脱臭機能は、環境条件に大きく依存するため、季節や昼夜の違いによって、性能あるいは機能が大きく変動するという問題もある。
【０００４】
例えば、温度の高い空気は大量の湿気を含有することができ、調湿材と接触させても、湿気を充分に除去することができない場合がある。我が国の梅雨期は高温かつ高湿であるため、調湿材による調湿機能が充分に働かず、充分に湿気が除去されていない空気が室内空間に供給されることがある。脱臭機能やＶＯＣ除去機能についても、湿気条件と同様に温度条件による悪影響を受けることがある。
本件発明の課題は、床下空間で、調温、調湿などの調整を行った空気を室内空間に供給する技術において、過剰な設備を必要とせずに、より良質で居住者にとって快適に調整された空気を室内空間に供給できるようにすることである。
【課題を解決するための手段】
【０００５】
本発明にかかる調整空気供給装置は、建築物の床下空間で調整された空気を室内空間に供給する装置であって、前記床下空間に開口する空気の導入口と、前記床下空間の地盤に埋設され、前記導入口に連通して床下空間の空気が流入する空気調整室と、前記空気調整室に収容され前記空気が接触する無機多孔質調湿材と、前記室内空間に開口し、前記空気調整室で調整された空気を室内空間に供給する室内給気口とを備える。
〔建築物〕
一般の住宅その他の建築物に適用できる。床下空間と室内空間とが隣接している住宅に設置するのに適している。平屋住宅あるいは複層階住宅における１階部分の室内空間に適用するほか、２階以上の室内空間に対する換気に利用することもできる。比較的に小規模な集合住宅や工場、ビルなどにも好適である。
【０００６】
床下空間は、周囲を布基礎などの基礎構造で囲まれている。床下空間の底面は、地盤面あるいは地盤面に施工された土間コンクリート層や防蟻層、防湿層などである。床下空間の上面は、室内空間の床面を構成する床構造の裏面である。通常、床下空間を囲む基礎構造には、屋外の空気を取り入れる換気口が設けられる。基礎構造と床構造、壁構造との間に換気可能な隙間が設けられていてもよい。
〔調整空気の供給〕
建築物の床下空間で調整された空気を、室内空間に供給する。
室内空間には、居住にとって必要な換気量の新鮮な空気を供給する必要がある。この室内空間に供給する空気を、床下空間で調整してから室内空間に供給する。室内空間の換気は、窓や換気口による換気を併用することもできる。
【０００７】
空気の調整とは、空気の物理的特性、化学的特性、含有成分などを、室内空間の居住者にとって快適であったり健康に有用であったりする適切な状態に調整することを意味する。調整空気とは、これらの特性が適切に調整された空気を意味する。
調整する特性条件には、温度、湿度、臭い、ＶＯＣ、イオン量などがある。これらの特性条件のうち、少なくとも一つ以上の特性条件を調整して、室内空間に供給する。それぞれの特性条件の好ましい範囲あるいは調整範囲は、住宅の施工条件や環境条件、要求性能によって違ってくる。
調整空気供給装置は、空気を調整し室内空間に供給する機能を果たす。床下空間および床下空間の地盤内に設置される。
【０００８】
調整空気供給装置には、空気の導入口、空気調整室、無機多孔質調湿材、室内給気口を備える。
〔導入口〕
床下空間に開口し、調整空気供給装置に床下空間の空気を取り込む。
屋外から床下空間に流入した空気が、一定の期間、床下空間内で滞留してから、導入口に取り入れられるように、導入口の配置構造を設定することが望ましい。例えば、床下空間と屋外とをつなぐ換気口からは少し離れた位置に導入口を設けることができる。換気口から流入する空気流の正面方向に対して、導入口の開口方向をずらせたり逆方向を向けておいたりすることができる。
【０００９】
導入口あるいはその近傍には、空気を強制的に導入するための送風ファンを設けておくことができる。異物などを除去するフィルタや、開閉自在なダンパ、空気の温度や湿度、速度を検知するセンサなどを設けておくこともできる。これらの機器は、空気調整室や室内給気口、あるいは、それらをつなぐ空気の流路中に設けておくこともできる。
地盤に埋設された空気調整室と導入口とは、空気が流通する配管やダクトで連結しておく。
〔空気調整室〕
床下空間の地盤に埋設され、導入口に連通していて床下空間の空気が流入する。流入した空気に、目的とする調整作用を施して送り出す。無機多孔質調湿材が収容される。空気調整室で所定の調整を施された空気は、室内給気口に送り出される。空気調整室には、導入口および室内給気口につながる出入り口や管路を有する。
【００１０】
これらの機能を有していれば、空気調整室の構造、材料、形状寸法は、通常の空気調整技術と同様の技術が適用できる。
空気調整室の外壁材料は、地盤に埋設して使用できる機械的強度や耐久性を備えている必要がある。内部に湿気や地下水が浸入しない湿気の遮断性や耐水性があることが望ましい。空気調整室の外部と内部との間の伝熱性が良好であることが望ましい。具体的には、塩化ビニルなどの合成樹脂材料、金属材料、ガラス材料、セラミック材料、セメント硬化材料、繊維材料などが挙げられる。複数の材料を組み合わせた複合材料や積層構造も採用できる。
【００１１】
空気調整室の形状は、無機多孔質調湿材と空気との接触が良好に行え、空気の導入、排出あるいは室内空間への給気が良好に行えるようにしておく。内外の伝熱性が良好な形状が望ましい。例えば、空気調整室を中空管状にしておけば、製造が容易で、機械的強度や耐久性も優れ、空気の調整機能も良好に果たせる。直方体箱状、垂直円柱状、多角柱状なども採用できる。空気調整室の内部に、空気の流れを制御する仕切りや案内壁を設けることができる。
空気調整室では、流入した空気が無機多孔質調湿材による調湿作用などを充分に受けることができるように、空気調整室内で無機多孔質調湿材と空気との接触距離を充分に設けておくことが望ましい。具体的には、空気と無機多孔質調湿材との接触距離を、０．５〜１０ｍに設定することができる。但し、空気の流速によって、同じ接触距離でも、調湿作用の程度は違ってくることがある。地盤による冷却効果を高めるには、接触距離を長くすることが望ましい。
【００１２】
空気調整室は、地盤からの伝熱作用を充分に受けることができるように、地盤内に適切な深さで埋設されていることが望ましい。深い位置のほうが、地盤の安定した温度条件が有効に利用できる。埋設位置が深いと、埋設作業の手間はかかり、埋設位置から地盤面までの空気流路が長くなる。好ましい埋設深さは、空気調整室の高さ方向の中心位置と地盤面との差で表す深さが、０〜１０ｍの範囲である。地中温度は、地下１０ｍ程度で安定するので、それ以上に深い位置に設定しても、温度条件は変わらない。
〔管状の空気調整室〕
空気調整室を、中空状の管路で構成することができる。管状の空気調整室は、空気の流通がスムーズに行え、耐変形性などの機械的強度が優れ、地盤との伝熱面積も充分に取れ、施工が容易であるなどの利点を有している。
【００１３】
管状の空気調整室は、配管用などに利用されている汎用の合成樹脂管材を利用して製造できる。管断面は、通常、円形であるが、矩形その他の角形や台形、長円形なども採用できる。
管状の空気調整室の寸法は、施工条件や要求性能によって決められる。例えば、外径は、流通させる空気の量に合わせる。外径が大きいほうが空気の流通抵抗は少なくなる。外径が小さいほうが、相対的な地盤との伝熱面積は増える。好ましい範囲は、外径１００〜３５０ｍｍである。空気調整室の長さ方向で、外径が変化していてもよい。管壁の肉厚は、薄いほうが伝熱性は良くなるが、機械的強度の点では厚いほうがよい。好ましい肉厚は、５〜１５ｍｍである。全長が長いほど、空気に対する調湿作用などが充分に行えるが、設備が大掛りになったり無機多孔質調湿材が大量に必要となったりする。好ましい全長は０．５〜４ｍである。
【００１４】
管状の空気調整室は、直線状をなすもののほか、円弧状などの曲線状をなすものでもよい。直線と曲線を組み合わせたり、屈曲部や分岐部、合流部を有していたりする場合もある。管状の調整室を複数本並べて配置することもできる。
管状の空気調整室は、通常、地盤面に対して平行な水平方向に延びるようにして埋設されるが、傾斜方向に延びていたり、垂直部分が存在していたりしてもよい。
〔空気調整ユニット〕
調整空気供給装置の製造あるいは施工に使用される。複数の空気調整ユニットを組み合わせて、前記した管状の空気調整室を構成する。
【００１５】
空気調整ユニットには、中空管状をなし、長さ方向に順次連結可能な空気調整管を有する。
空気調整管の材料、外径、肉厚などの条件は、前記した管状の空気調整室と共通している。但し、長さについては、管状の空気調整室の全長を複数に分割した長さを有する。製造や取扱いに適した長さに設定される。具体的には、０．５〜４ｍが好ましい。通常、空気調整管を複数本連結して空気調整室を構成する。
空気調整室を構成する際に、空気調整管同士を連結する手段としては、通常の配管等の連結手段が採用できる。例えば、空気調整管同士の端面を付き合わせて接着や熱融着で接合することができる。空気調整管の端部に互いに連結自在な嵌合構造やフランジ面を備えておくこともできる。短い筒状の連結スリーブを空気調整管の連結部に嵌合して連結することもできる。
【００１６】
空気調整管の両端には、空気調整管の両端を塞ぐ蓋材が着脱自在に取り付けられる。蓋材の材料や形状構造は、通常の配管材料における蓋構造と同様の技術が適用できる。単純な板材であってもよいし、空気調整管の端部に嵌合できる嵌合構造を備えていてもよい。蓋材として、柔軟なシート材やフィルムを使用して、空気調整管の端部を覆うようにすることもできる。
空気調整管の内部には、予め、無機多孔質調湿材を充填しておくことができる。無機多孔質調湿材が充填された空気調整管の両端を蓋材で塞いでおけば、無機多孔質調湿材が盛れ出ることはない。
【００１７】
空気調整管、無機多孔質調湿材および蓋材で組み立てられた空気調整ユニットは、工場などで予め製造しておくことができる。製造された空気調整ユニットを、輸送保管あるいは流通販売に供することができる。空気調整管と無機多孔質調湿材とを別々に包装したり取り扱ったりする手間が省ける。無機多孔質調湿材が、輸送取扱い中に変質したり劣化したり調湿機能や脱臭機能が低下したりすることが防止できる。
調整空気供給装置の施工現場で、空気調整ユニットから蓋材を外し、空気調整管を連結すれば、能率的かつ容易に、管状の空気調整室が構築できる。
〔無機多孔質調湿材〕
空気調整室に収容され空気と接触して、目的とする調整作用を施す。
【００１８】
基本的には、通常の換気調湿装置などで、調湿機能を果たすために使用されている無機多孔質調湿材と同様の材料が使用できる。例えば、珪質頁岩やシリカゲルが挙げられる。
調湿材は、粒塊状の調湿材が使用し易い。粒塊の形状は、球や多角形あるいは不定形で使用できる。岩石原料を粉砕した角のある不定形状のものが、使用時に調湿材間に隙間が出来易く、空気との接触効率が良くなる。最大差し渡し径で規定される粒径を２０〜８０ｍｍの範囲に設定できる。好ましくは、粒径２０〜５０ｍｍである。粉体状の無機多孔質調湿材をバインダーなどとともに成形してなるブロック体、ハニカム体なども使用できる。
【００１９】
〔室内給気口〕
室内空間に開口し、前記空気調整室で調整された空気を室内空間に供給する。
室内空間の床面あるいは側壁面さらには天井面に設けることもできる。空気調整室から室内給気口へは、配管やダクトを通じて空気を送る。
室内給気口には、送風ファンや開閉自在なダンパ、空気の温度や湿度を検知するセンサを設けておくことができる。室内空間の気温や湿度の情報と、室内給気口に送られてくる空気の温度や湿度の情報とを比較して、給気風量を制御することもできる。
〔送  風〕
導入口から空気調整室、室内給気口に至る空気の流れは、経路中に配置された送風機で強制送風することで作り出すことができる。
【００２０】
送風機として、通常の換気あるいは空調用の送風ファンが使用できる。
送風量あるいは送風力は、室内空間で必要とされる換気量や空気調整室における調整能力などによって決定される。通常、５０〜２００ｍ３／ｈ程度の送風量に設定することができる。
室内空間の換気を、本発明の調整空気供給装置を経由する空気と、本発明の調整空気供給装置を通らず、床下空間から直接に室内空間に送り込まれる空気とを組み合わせておこなうこともできる。調整空気供給装置による調温や調湿が特に必要とされない場合は、調整空気供給装置を経由しない換気を行うこともできる。
【００２１】
調整空気供給装置に備えた送風機による強制送風を行わずに、自然の対流や風によって、導入口から空気調整室、室内給気口に至る空気の流れを生じさせることもできる。例えば、室内空間の空気を室内空間の壁面などに設けた排気ファンで屋外に排出すれば、それに伴って、室内給気口から室内空間に空気が吸い込まれる。
〔調整空気供給方法〕
以上に説明した調整空気供給装置を用いて、建築物の床下空間で調整された空気を室内空間に供給する。
工程（ａ）：
床下空間の空気を、前記導入口から前記空気調整室、前記室内給気口を経て前記室内空間へと送る。
【００２２】
工程（ｂ）：
前記工程（ａ）の途中において、前記空気調整室において前記無機多孔質調湿材に空気を接触させる。
空気調整室は地盤に埋設されているので、床下空間との間に温度差が生じる。例えば、夏期や日中のように屋外温度が高いときは、屋外に比べれば床下空間のほうが低い温度になるが、それでも屋外温度の影響を受けて床下空間の温度が上がる。しかし、地盤内は、屋外温度の影響をあまり受けない。その結果、床下空間の温度に対して、相対的に、空気調整室の温度はかなり低くなる。これとは逆に、冬期や夜間のように屋外温度が下がったときには、床下空間も温度が下がるが屋外温度よりも高い温度になる。地盤内の空気調整室は、床下空間よりも温度の低下は少なく、ほとんど温度が下がらないこともある。床下空間に比べて空気調整室の温度はかなり高い状態に維持される。
【００２３】
床下空間の空気は、温度変化の少ない空気調整室を通過することで、調温および調湿作用を受ける。夏には、温かい空気が空気調整室を通過することで冷却されるとともに湿度が高くなる。しかし、高湿空気を無機多孔質調湿材が除湿し、除湿された空気が室内空間に供給される。逆に、低湿空気が通過するときには加湿が行われる。空気の調湿が行われることになる。温度変化が少ない空気調整室で、安定した調湿機能が発揮される。
勿論、無機多孔質調湿材と接触した空気は、脱臭作用やＶＯＣ除去作用も受ける。
床下空間の空気は、屋外から床下空間に流入して一定の時間、床下空間に滞留して調温あるいは調湿の作用を受けたあと、導入口から導入されるようにしておくことが望ましい。これによって、調整空気供給装置に導入される前の空気が、床下空間である程度まで調温される。調整空気供給装置による調温、調湿作用がより効果的に果たされる。屋外からの空気が、床下空間である程度まで調温された空気と混合されて、導入口に入るようにしてもよい。
【００２４】
床下空間の空気が、空気調整室を繰り返し通過するようにしておけば、調整作用をより強く作用させることができる。空気調整室から室内給気口への流路途中に、空気調整室の導入口側に戻る循環流路を設けておくことができる。
床下空間と地盤に埋設された空気調整室との温度差が大きいほど、空気の冷却あるいは加温による湿気の放出吸収作用が強くなり、無機多孔質調湿材と空気との間における水分の交換が効率的に行われる。空気の調温作用も強くなる。但し、自然に発生する温度差を利用するので一定の限度はあり、季節や時間帯によって変わってくる。
多孔質調湿材と接触させる空気の風量を、５０〜２００ｍ３／ｈに設定できる。風量が少ないほど、空気が長い時間にわたって多孔質調湿材と接触して調湿作用などを受けることになる。風量が多いほど、大量の空気を室内空間に給気できる。
【００２５】
空気調整室に流入する空気の湿度が高いほど、多孔質調湿材で除去される水分の量が増える。また、地盤からの伝熱で降温した空気から放出される水分の量も増える。空気調整の前後における湿度の変化を大きくできる。
【発明の効果】
【００２６】
本発明にかかる調整空気供給装置および調整空気供給方法は、無機多孔質調湿材が収容された空気調整室が、床下空間の地盤に埋設されている。屋外空間および床下空間と地盤との温度環境の差によって、空気調整室内で、無機多孔質調湿材と空気とが接触する温度条件が、調湿あるいは脱臭やＶＯＣ除去にとって、より好ましい条件に調節される。
その結果、特別な装置を必要とせず、稼動コストを大きく増やすこともなく、空気調整室における空気の調整をより適切に行えることになる。室内空間に供給される空気を、居住者によってより快適で良質の空気に調整することができる。
【発明を実施するための最良の形態】
【００２７】
図１は、一般住宅の床下空間に設置された調整空気供給装置２０を示している。
〔住宅の全体構造〕
住宅は、地盤Ｅに一部が埋設された布基礎１０と、布基礎１０の上に構築された上部構造とからなる。布基礎１０は、コンクリートを打設して構築され、断面が逆Ｔ字形をなし、住宅の間取り構造に対応して格子状に配置されている。
布基礎１０の上部には、土台や柱、床、壁などを含む床構造１２および壁構造１４が構築される。
床構造１２の上部で周囲を壁構造１４に囲まれた空間が、室内空間１６である。
【００２８】
床構造１２の下部には、周囲を布基礎１０に囲まれ、底面が地盤Ｅである床下空間１８が存在する。図示を省略しているが、布基礎１０の一部には住宅の外の屋外空間と連通する換気口が設けられている。床下空間１８には、屋外の空気が流入してくる。
〔調整空気供給装置〕
床下空間１８から地盤Ｅ内にかけて、調整空気供給装置２０が設置される。
調整空気供給装置２０は、塩ビパイプなどの管材料で構成された空気調整管３６、連結スリーブ３８、導入管部３１、排出管部３３を備える。
空気調整管３６は、比較的に短い一定長さの管であり、複数本の空気調整管３６を長さ方向に並べ、空気調整管３６よりも一回り外径が大きく短い管からなる連結スリーブ３８で、隣接する空気調整管３６同士を連結一体化して、直線管状の空気調整室３０を構成している。空気調整管３６の連結個数は、床下空間１８の広さや調整処理する空気の量などの条件により変更される。
【００２９】
連結された空気調整管３６の列は、床下空間１８の地盤Ｅ内に、水平方向に直線状に延びる状態で埋設されている。なお、予め床下空間１８の施工条件に合わせて用意された１本の長い空気調整管３６を使用すれば、短い空気調整管３６を連結する手間はかからず、連結スリーブ３８も不要である。
空気調整管３６列の一端に、導入管部３１が配置される。導入管部３１は、Ｚ字形に屈曲した管状をなし、下部を地盤Ｅに埋め込み、下辺端部を空気調整管３６列の末端に連結固定している。導入管部３１の上部は、地盤Ｅから床下空間１８に突出し、上辺の先端が床下空間１８に開口して、導入口２２となっている。床下空間１８内の空気が、導入口２２から流入して空気調整室３０に送り込まれる。
【００３０】
空気調整管３６列の他端には、排出管部３３が配置される。排出管部３３は、Ｌ字形に屈曲した管状をなし、下部を地盤Ｅに埋め込み、下辺端部を、空気調整管３６列のうち、導入管部３１とは反対の末端に連結固定している。排出管部３３の上端は、地盤Ｅから床下空間１８を通って、床構造１２まで延び、床構造１２の上面に室内給気口２４として開口している。室内給気口２４の下部には、電動式の送風ファン４０が装着されている。送風ファン４０を駆動されると、排出管部３３を通じて空気調整室３０から空気を吸出して室内空間１６に強制送風することができる。
空気調整管３６列からなる空気調整室３０の内部には、硅質頁岩の粉砕物からなる無機多孔質調湿材５０が収容されている。無機多孔質調湿材５０は、空気調整管３６列の全体から、導入管部３３および排出管部３３の一部までにわたって収容されている。
【００３１】
〔調整空気供給方法〕
図１において、送風ファン４０を駆動させると、床下空間１８内の空気は、導入口２２から導入管部３１、空気調整管３６、排出管部３３、送風ファン４０、室内給気口２４を経て、室内空間１６に供給される。
送風ファン４０は、季節および昼夜を問わず、常時駆動させてもよいし、室内空間１６に新鮮な空気を迅速かつ大量に供給するときだけに駆動することもできる。送風ファン４０を駆動しなくても、自然の対流や風などで、床下空間１８から空気調整管３６を経て室内空間１６への空気の流れを発生させることもできる。室内給気口２４などにダンパやシャッタを設けて、給気を遮断したり開始したり任意に制御することもできる。
【００３２】
〔空気の調整作用〕
空気調整室３０を通過する空気は、空気調整管３６内の無機多孔質調湿材５０と接触し、調湿作用、脱臭作用、ＶＯＣ除去作用など、無機多孔質調湿材５０が有する各種の作用を受け、目的の調整が施された空気が、室内空間１６に送り出される。
空気調整管３６は、地盤Ｅの中に埋められている。地盤Ｅの温度は、床下空間１８の温度とはかなり違う。
例えば、夏期や日中は、屋外環境が比較的に高温になる。このとき、床下空間１８は、日射エネルギーを直接に受けないので、屋外環境よりは少し低い温度になる。地盤Ｅは、床下空間１８よりもさらに低い温度になる。床下空間１８の底面に存在する地盤Ｅは、日射で暖められることがなく、しかも、熱容量が膨大であるため、屋外温度が変化しても、地盤Ｅの温度はほとんど変化しない。
【００３３】
この状態で、床下空間１８から地盤Ｅ内の空気調整室３０に送られた空気は、熱を奪われて冷却され、温度が下がる。空気の温度が下がると、空気の相対湿度は高くなり、空気に含まれている湿気が凝結して空気から放出され易くなり、無機多孔質調湿材５０に吸収され易くなる。温度が下がらない状態に比べて、無機多孔質調湿材５０で除去される湿気が増え、空気はより乾燥した状態になる。具体的には、床下空間１８の空気が、空気調整室３０を通過する際に温度が下がって、湿度８０％以上になり、空気調整室３０を通過したあとでは、湿度を通過前より約１０％も下げることができる。
一般的に、我が国の夏期は、高温であると同時に高湿であるので、上記した作用によって、高湿の空気が効率的に湿度を下げられ、室内空間１６を快適な湿度環境に調整することができる。なお、空気の温度も下がっているので、室内空間１６に冷たく快適な空気を供給することにもなる。
【００３４】
さらに、前記したような高湿の空気を、無機多孔質調湿材５０と接触させると、無機多孔質調湿材５０からマイナスイオンが大量に放出されるという現象が起こる。これは、無機多孔質調湿材５０の細孔を水の粒子が出入りしたり水粒子が生成したり消滅したりする際にマイナスイオンが効率的に発生するものと考えられる。これによって、室内空間にマイナスイオンに富んだ空気を供給することができる。
前記した夏期や日中とは逆に、冬期や夜間は、屋外環境は比較的に低温である。床下空間１８は、放射冷却の作用や風の影響などが少ないので、屋外環境よりは少し高い温度に維持される。地盤Ｅは、床下空間１８よりもさらに高い温度のままである。
【００３５】
床下空間１８から空気調整管３６に送られた空気は、地盤Ｅから供給される熱によって効率的に暖められる。暖められた空気は、湿気を含有できる容量が増えるので、無機多孔質調湿材５０から空気への水分の供給効率が良くなる。温度が低い状態のままよりも、空気に含まれる湿気が増える。
一般的に、我が国の冬期は、低温であると同時に乾燥している。乾燥した低温空気が、空気調整室３０を通過してから室内空間１６に供給されることで、前記作用により、比較的に温かく適度な湿気を含んだ、居住者にとって快適な空気環境が得られる。
以上の結果、床下空間１８の中だけで、空気を無機多孔質調湿材５０と接触させてから室内空間１６に供給するのに比べて、地盤Ｅに埋設された空気調整室３０を通過させることで、より適切な温度、湿度などの環境条件に調整された空気を、室内空間１６に供給することが可能になる。
【００３６】
〔具体例〕
（１）  空気調整管３６の具体例として、外径２６７ｍｍ、肉厚８ｍｍの市販の汎用塩ビパイプを長さ５０ｃｍに切断したものを、合計８本連結し全長４ｍにして使用する。
この空気調整管３６列に、粒径２０〜８０ｍｍに粉砕された硅質頁岩を、合計約１６０ｋｇ（１ｍ当たり４０ｋｇ）収容する。
（２）  外径３１８ｍｍ、肉厚９ｍｍ、長さ３ｍの市販の汎用塩ビパイプをそのまま使用する。粒径２０〜５０ｍｍの硅質頁岩を充填すると、約２００ｋｇが充填できる。
〔空気調整ユニット〕
図２は、前記実施形態の空気調整室３０に利用される空気調整ユニット６０を示している。
【００３７】
空気調整ユニット６０は、比較的に短い空気調整管３６と、空気調整管３６の両端を塞ぐ蓋材３９と、空気調整管３６の内部に充填された無機多孔質調湿材５０とを有する。
蓋材３９は、空気調整管３６と同様の塩ビ製の板材や成形品が使用できる。空気調整管３６の端部に蓋材３９を嵌めて、無機多孔質調湿材５０が外に漏れ出さないように密閉する。蓋材３９は取り外し可能になっている。
空気調整ユニット６０の具体例として、外径２６７ｍｍ、肉厚８ｍｍ、長さ５０ｃｍの塩ビ管からなる空気調整管３６と、それに対応する形状の蓋材３９とを組み合わせ、内部に無機多孔質調湿材５０として粒径２０〜８０ｍｍの硅質頁岩の粉砕物を約１６０ｋｇ充填したものが採用できる。空気調整ユニット６０の全重量が約２５ｋｇになる。
【００３８】
このような構造の空気調整ユニット６０を、予め工場などで大量生産したり、保管したりしておくことができる。
住宅の建築現場など、調整空気供給装置２０の施工現場へは、複数本の空気調整ユニット６０と、連結スリーブ３８、導入管部３１、排出管部３３などの必要資材を搬入する。比較的に短い空気調整ユニット６０は、通常のトラック輸送などで容易に搬送することができる。
施工現場では、個々の空気調整ユニット６０から蓋材３９を外し、連結スリーブ３８を使って長さ方向に連結していく。空気調整ユニット６０の列の両端には、導入管部３１および排出管部３３を連結する。
【００３９】
このようにして組み立てられた空気調整室３０あるいは調整空気供給装置２０を、床下空間１８の地盤Ｅに埋設する。地盤Ｅに掘った穴あるいは溝の底に、空気調整室３０を置いて、導入管部３１および排出管部３３の上端を上方に延ばした状態で、土砂を埋め戻せば良い。土間コンクリートを打設することもできる。
排出管部３３の上端を床構造１２に取り付けた送風ファン４０に接続すれば、調整空気供給装置２０の施工は完了する。
住宅の間取りや床下空間１８の形状寸法などが変わっても、使用する空気調整ユニット６０の数を増減するだけで、容易に対応することができる。無機多孔質調湿材５０をバラ積み状態で輸送したり取り扱ったりする面倒な作業が不要になる。輸送保管中に、無機多孔質調湿材５０が過剰な湿気を吸ってしまったり、脱臭機能やＶＯＣ機能が飽和したりすることが防止できる。
【００４０】
空気調整ユニット６０を製造する際に、空気調整管３６が曲管や屈曲管などであるものを使用して、曲管状や屈曲管状の空気調整ユニット６０を製造しておくことができる。施工現場に搬入した、直管状、曲線状、屈曲管状の空気調整ユニット６０を適宜に組み合わせれば、単純な直線状の空気調整室３０を備えた調整空気供給装置２０だけでなく、より複雑な構造の曲線や屈曲部を有する空気調整室３０を備えた調整空気供給装置２０も容易に施工できる。床下空間１８に存在する柱材や配管などを迂回して空気調整室３０を配置することが可能になる。
【産業上の利用可能性】
【００４１】
本発明の調整空気供給装置は、一般住宅の床下空間に設置されて、室内空間に供給する空気の温度、湿度、臭い、ＶＯＣ、マイナスイオン量、その他の特性条件を適切に調整することができる。居住者にとって快適で良質な空気を供給することができ、居住環境の向上に大きく貢献できる。
【図面の簡単な説明】
【００４２】
【図１】本発明の実施形態を表す床下空間の断面構造図
【図２】空気調湿管材の一部断面正面図
【符号の説明】
【００４３】
１０    布基礎
１２    床構造
１４    壁構造
１６    室内空間
１８    床下空間
２０    調整空気供給装置
２２    導入口
２４    室内給気口
３０    空気調整室
３１    導入管部
３３    排出管部
３６    空気調整管
３８    連結スリーブ
３９    蓋材
４０    送風ファン
５０    無機多孔質調湿材
６０    空気調整ユニット
Ｅ      地盤
【図１】
2006038319.tif 000003
【図２】
2006038319.tif 000004